(57)【要約】      （修正有）【課題】簡単な構造でありながら、介護者や運搬作業者の背骨への負担を大きく軽減させることができる装置を提供する。【解決手段】腰への荷重軽減装置は、骨盤位置に取り付けられる腰ベルトと、肘関節位置に取り付けられる肘ベルトと、前記腰ベルトに固定保持され、肩位置近傍に延出される支持手段と、この支持手段の上部と前記肘ベルトとの間に設けられるテンション手段を備える。骨盤位置に取り付けられる腰ベルトと１、肘関節位置に取り付けられる肘ベルト２と、前記腰ベルト１に固定保持され、肩位置近傍に延出される支持手段３と、この支持手段３の上部と前記肘ベルト２との間に設けられるテンション手段４を備える。【選択図】図１
2010070364.tif 000002
【特許請求の範囲】
【請求項１】
骨盤位置に取り付けられる腰ベルトと、肘関節位置に取り付けられる肘ベルトと、前記腰ベルトに固定保持され、肩位置近傍に延出される支持手段と、この支持手段の上部と前記肘ベルトとの間に設けられるテンション手段を有しており、前記肘ベルトが受けた荷重が、前記テンション部材を介して、さらには前記支持手段を介して、前記腰ベルトに伝えられる構成とされたことを特徴とする腰への荷重軽減装置。
【発明の詳細な説明】
【技術分野】
【０００１】
本発明は、  介護や荷物の運搬など、直接身体を使って、持ち上げ作業、運搬作業を行う作業者の腰の過重負担を軽減させる装置に関するものである。
【背景技術】
【０００２】
従来、腰の負担を軽減させる装置として、  腰の姿勢を制限させる腹巻状コルセット、荷物を腰のベルトに載せられるようにした装置、荷重を機械的に受ける装置などが提案されている。
【０００３】
従来のこの種の装置の一つとして、荷物を腰のベルトに載せられるようにしたウエストバック（例えば、特許文献１参照。）が開示されている。このウエストバックは、荷物をウエストバックで受け、腰ベルトで荷重を分散させたものである。
【０００４】
また、介護者を助ける筋力補助装置（特許文献２参照）が開示されている。
この装置は、ベッドに取り付けられたアームが介護者の上半身のベルトを吊って、荷重を軽減するものである。
【０００５】
さらに、（特許文献３参照）には、作業補助具として、荷重を肩と腰と足（地上）に分散させる装置が開示されている。
【特許文献１】特開２００５−２８０８８４
【特許文献２】特開２００３−１２６１７９
【特許文献３】特開２０００−１６５３９
【発明の開示】
【発明が解決しようとする課題】
【０００６】
上記従来の装置は、大掛かりで実際の使用が難しい、あるいは、十分な性能が得られないなどの問題があり、介護者や運搬作業者の背骨への負担を軽減させる最適な装置が求められていた。
【０００７】
そこで、本発明は、簡単な構造でありながら、介護者や運搬作業者の背骨への負担を大きく軽減させることができる装置を提供することを目的とする。
【課題を解決するための手段】
【０００８】
上述した目的を達成するため、本発明に係る腰への荷重軽減装置は、骨盤位置に取り付けられる腰ベルトと、肘関節位置に取り付けられる肘ベルトと、前記腰ベルトに固定保持され、肩位置近傍に延出される支持手段と、この支持手段の上部と前記肘ベルトとの間に設けられるテンション手段を備える。
【０００９】
以上のように構成した本発明に係る腰への荷重軽減装置は、手、腕に受けた荷重が、肘ベルトを介してテンション手段に伝えられることになり、さらにその荷重はこのテンション手段の他端に接続されている支持手段を介して腰ベルトに伝えられる。こうして、手、腕で受けた荷重の一部は、腰ベルトまで分担させることが可能になる。    したがって、この装置によれば、持ち上げ時や運搬時の背骨への荷重負担が軽減される。
【発明の効果】
【００１０】
上述したように本発明に係る荷重軽減装置によれば、  背骨の安全を図り、持ち上げ作業や運搬作業の効率を向上することができる。
【発明を実施するための最良の形態】
【００１１】
以下、本発明の具体的な実施形態について、図面を参照して説明する。
【００１２】
本実施形態の装置は、例えば、介護者が被介護者を抱き抱えて移動させるために用いられるものである。
【００１３】
図１および図２に示すように、装置装着者Hの骨盤部P位置に取り付けられる腰ベルト１と、肘関節位置に取り付けられる２個の肘ベルト２と、前記腰ベルト１の左右２箇所にそれぞれ固定保持され、肩部位置S近傍まで延出されてなる支持手段３としての２本の支持ポール３０と、このそれぞれの支持ポール３０の上部と前記肘ベルト２との間に設けられるテンション手段４とを備えている。
【００１４】
上記腰ベルト１は、上部帯部１aと下部帯部１bを有し、帯状の布が積層されて構成されている。
【００１５】
上記上部帯部１a内には、縦方向に心材（図示せず）が複数本所定間隔で挿入され、上記下部帯部１b内には横方向に心材（図示せず）が挿入されている。  
【００１６】
この各心材は、可とう性の樹脂材、例えばポリプロピレン等が用いられる。
【００１７】
さらに上記腰ベルト１の一端内側には、面ファスナーの片方が、また、他端の外側には、その面ファスナーのもう片方が取り付けられ、ベルト長さの調整と着脱が自在とされている。
【００１８】
前記腰ベルト１の外側には、支持手段３の連結固定部５が下部帯部１bに沿って貼着されており、この連結固定部５は、柔軟な硬質樹脂、例えばゴム材やウレタン材により形成されている。この連結固定部５の中央部に揺動自在に前記支持ポール３０が取り付けられている。
【００１９】
前記支持ポール３０は、径の異なる２本の樹脂製のパイプが入れ子状に組み合わされて構成され、長さ調整が可能な構造とされている。この長さ調整の機構は、固定ねじ６が、外側パイプ３０ａの端部を締め付けて内側パイプ３０ｂと密着固定させる構成とされている。
【００２０】
一方、前記肘ベルト２は、２箇所の帯状部２ａ、２ａと、この２箇所の帯上部２ａ、２ａをつなぐ中間接続部２ｂを有しており、上記２箇所の帯状部２ａ、２ａの各端部のそれぞれは、面ファスナーにより着脱自在とされ、上記中間接続部２ｂ外側には、可とう性の樹脂材による肘受け皿２ｃが、固着されている。
【００２１】
さらに上記肘受け皿２ｃと前記支持ポール３０の上端とが、テンション手段としてのテープ材４０で連結されている。このテープ材４０は、図２に示すように上記支持ポール３０に形成されたホック７と着脱自在とされることにより、長さ調節が可能な構成とされている。
【００２２】
また、前記各支持ポール３０の中間部には、その各支持ポール３０，３０間をつなぐようにして、胸背ベルト８が取り付けられており、この胸ベルト８は、装着者Hの脇の下位置に来るようにその支持ポール３０に沿って摺動自在に固定される。  
【００２３】
この胸背ベルト８は、装着者Hの胸と背を囲って面ファスナーにより着脱自在とされ、この面ファスナーによりベルトサイズの調整が可能な構造とされている
【００２４】
以上の構成による腰への荷重軽減装置の作用を説明する。
【００２５】
本装置を装着した装着者Hが手あるいは腕で荷を受けた荷重は、腕や肩などの力の入れ方で変わるが、肘部と肩部に加えられる。
【００２６】
ここで、肩の力を少し抜くと、前記肘ベルト２にその荷重の一部が受け継がれる。
【００２７】
その肘ベルト２が受けた荷重は、テンション手段４としてのテープ材４０を下方向へ牽引することになる。
【００２８】
上記牽引されたテープ材４０の他端は、前記支持ポール３０の上端に連結されているので、この支持ポール３０も下方に牽引される。  
【００２９】
さらに支持ポール３０の下端は、連結固定部５に連結されているので、支持ポール３０が受けた下方への牽引力は、この連結固定部５を介して前記腰ベルト１で受けることになる。
【００３０】
こうして、腕で受けた荷重の一部は、テンション手段４、支持手段３、連結固定部５、腰ベルト１を介して  装着者のH腰骨部Pに伝えられる。
【００３１】
従って、腕で受けた荷重が分散され、背骨に集中することが防止されることになる。このとき連結固定部５は柔軟性を有しているため、腰骨部Pに伝えられる力が急であっても、そのショックは軽減されるとともに、装着者Hの行動の自由度も保たれることになる。
【００３２】
図３は第二の実施形態を示すものであり、前述した実施形態と同様の箇所には同等の符号を付し、その説明は省略する。
【００３３】
この第二の実施形態では、テンション手段４として、前記支持手段３と同様の剛性のあるポールが用いられ、テンションポール４１とされている。  このテンションポール４１も前記支持手段３の支持ポール３０と同様に、径の異なる２本の樹脂製のパイプが入れ子状に組み合わされて構成され、長さ調整が可能な構造とされている。この長さ調整の機構も、固定ねじ６０が、外側パイプ４１aの端部を締め付けて内側パイプ41bと密着固定させる構成とされている。
【００３４】
このテンション手段４１は、剛性を有することから、テンションのみならず圧縮にも耐えられるため、装着者Hの肘位置が肩位置よりも高い状況下においても、その荷重は、肘ベルト２支持手段３を介して腰ベルト１に伝えることができる。
【００３５】
また、この実施形態においては、支持ポール３０と腰ベルト１の連結固定部５との間に、支持ポール３０を後方向へ付勢するスプリング９が取り付けられており、持ち上げ時の動作をサポートする作用を有している。
【００３６】
図４は、第三の実施形態を示すものであり、支持手段３として、その形状をジャケット状にしたものである。
【００３７】
この支持手段３としての支持ジャケット３１は、前記支持ポール３０を薄くして支持ベルト１の外周に取り付け、さらに前記胸背ベルト８とも一体化させてものであるｊ。
【００３８】
詳述すると、この支持ジャケット３１は、軟質樹脂材をジャケット状に成型されてなり、前面には、前面空間部Aが設けられ、左右の肩部位置Sには腕を通すための肩部開口Bが形成されている。
【００３９】
さらに、この支持ジャケット３１の表裏面には、着脱衣時に屈曲し易いように縦方向に溝１０が形成されている。
【００４０】
また、肩部Ｓの上面には凹部１１が形成され、この凹部１１に載せた荷の荷重も腰ベルト１に伝えることができる。
【００４１】
さらに、この支持ジャケット３１の前記前面空間部Ａの胸位置部分には着脱自在に胸部ファスナー手段８０が取り付けられており、左右の何れか一方に力が加えられた際にもその力を左右に分散させることができる。
【００４２】
またこの図４には、オプションとしての手部フック手段１２が記載されており、この手部フック手段は、先端のフック部１３と前記肘ベルト２と接続されるテープ部１４と手首に固定される手首バンド１５とを有している。
【００４３】
上記テープ部１４にはホック穴１６が形成され、このホック穴１６は前記肘ベルト２の肘受け皿２ｃの外側に形成されたホック１７に着脱自在に固定される。
【００４４】
また、前記手首バンド１５はゴム等による伸縮自在のバンドが用いられ、前記フック部１３に荷をかけると、その荷重は肘ベルト２、テンション手段４、支持ジャケット３１を介して腰ベルト１に伝えられる。
【産業上の利用可能性】
【００４５】
本発明は、腕等の上半身にかかる荷重を分散して腰骨に伝え、背骨への荷重負担を軽減させるため、介護者や引越し等の運搬業者の職業病とも言われている腰痛の予防に有効である。
【図面の簡単な説明】
【００４６】
【図１】本発明に係る腰への荷重軽減装置の実施の形態を示した斜視図である。
【図２】前記腰への荷重軽減装置の左側面図である。
【図３】本発明に係る第二の実施形態を示す左側面図である。
【図４】本発明に係る第三の実施形態を示す斜視図である。
【符号の説明】
【００４７】
１  腰ベルト
２  肘ベルト
３  支持手段
４  テンション手段
【図１】
2010070364.tif 000003
【図２】
2010070364.tif 000004
【図３】
2010070364.tif 000005
【図４】
2010070364.tif 000006